(57)【特許請求の範囲】
【請求項１】
装置本体と、
前記装置本体に着脱可能に装着されたユニットと、
前記ユニットに配置された導電部材と、
前記装置本体に配置され、前記導電部材と導電可能に接触する接点バネと、
前記装置本体に設けられ、前記接点バネを保持する筒部と
を備え、
前記装置本体は、前記ユニットと協働して記録媒体に画像を形成し、
前記接点バネは、巻きバネ部と、前記巻きバネ部の一端部に設けられた接点部とを有し、
前記接点部は、前記筒部の一端開口から出没可能に突出され、
前記巻きバネ部は、前記筒部に収容され、前記接点部を前記筒部の前記一端開口から突出する方向に付勢し、
前記接点部は、前記巻きバネ部の軸線に沿った縦長形状を有し、
前記接点部の基端部は、前記筒部に収容され、
前記筒部の前記一端開口は、前記筒部の軸線に直交する方向に延びた形状を有し、
前記装置本体に対する前記ユニットの装着方向と直交する方向よりも、前記装着方向に沿って、より長く延びており、
前記接点部の両側の主面は、前記巻きバネ部の軸線を含み、前記装置本体に対する前記ユニットの前記装着方向に平行である平面に沿って配置され、
前記接点部の先端部は、円弧状である、画像形成装置。
【請求項２】
前記筒部は、前記筒部の内周面よりも前記筒部の内側に張り出された張出部を有し、
前記張出部は、前記筒部の前記一端開口の一部を形成し、
前記張出部は、前記巻きバネ部の前記一端部に当接する、請求項１に記載の画像形成装置。
【請求項３】
前記張出部は、前記筒部の軸線を含む平面に対して対称に形成された一対の部材で構成され、
前記一対の部材の間に、前記接点部が挿通される、請求項２に記載の画像形成装置。
【請求項４】
前記張出部は、前記接点部を出没自在に支持する、請求項２又は請求項３に記載の画像形成装置。
【請求項５】
前記巻きバネ部と前記接点部とは、互いに分離して構成されている、請求項１に記載の画像形成装置。
【請求項６】
前記接点部は、突出部を有し、
前記突出部は、前記接点部の基端部から、前記接点部の長手方向に直交する方向に突出して、前記巻きバネ部の前記一端部に導電可能に接触する、請求項５に記載の画像形成装置。
【請求項７】
前記筒部は、前記筒部の内周面より前記筒部の内側に張り出された張出部を有し、
前記張出部は、前記筒部の前記一端開口の一部を形成し、
前記突出部は、前記巻きバネ部の前記一端部と前記張出部との間に配置される、請求項６に記載の画像形成装置。
【請求項８】
前記接点部は、長円形を有する、請求項１から請求項７の何れか１項に記載の画像形成装置。
【請求項９】
巻きバネと、電源基板とを更に備え、
前記巻きバネ及び前記電源基板は、前記装置本体に配置され、
前記巻きバネは、配線を介して前記接点バネの前記巻きバネ部に導電可能に接続され、
前記巻きバネの一端部は、前記電源基板に導電可能に当接されている、請求項１から請求項８の何れか１項に記載の画像形成装置。
【請求項１０】
前記ユニットは、感光体ドラムと、前記感光体ドラムを帯電させる帯電部とを更に備え、
前記導電部材は、前記帯電部に導電可能に接続されている、請求項１から請求項９の何れか１項に記載の画像形成装置。
【請求項１１】
前記接点部の基端部は、円弧状である、請求項５に記載の画像形成装置。
【発明の詳細な説明】
【技術分野】
【０００１】
本発明は、画像形成装置に関する。
【背景技術】
【０００２】
特許文献１に記載の画像形成装置は、装置本体と、ユニットとを備える。ユニットは、装置本体に着脱可能に装着される。装置本体は、接点バネと、筒部とを備える。接点バネは、ユニットの導電部材に導電可能に接触する。接点バネは、接点部と、巻きバネ部とを有する。接点部は、円環形状であり、巻きバネ部の一端部を起こすことによって形成されている。巻きバネ部は、筒部内に配置されており、接点部を筒部から突出する方向に付勢する。
【０００３】
ユニットが装置本体に装着されると、導電部材が接点部に導電可能に接触する。接触の際、巻きバネ部の軸線と平行な方向における導電部材と接点部との距離が所定の値よりも小さいと、導電部材によって接点部が筒部内に押し込まれる。そして、接点部が筒部内に押し込まれた分、巻きバネ部が圧縮される。この結果、ユニットが装置本体に装着される度に、巻きバネ部の軸線と平行な方向における導電部材と接点部との間の距離が変化しても、導電部材と接点部との導電可能な接触が確保される。
【０００４】
巻きバネ部の軸線と平行な方向における導電部材と接点部との間の距離が大きくなる可能性がある場合は、巻きバネ部のストローク量を大きくする。巻きバネ部のストローク量とは、接点部が筒部内に押し込まれたときに巻きバネ部が圧縮される長さである。
【先行技術文献】
【特許文献】
【０００５】
【特許文献１】特開平９−３１９２３９号公報
【発明の概要】
【発明が解決しようとする課題】
【０００６】
しかしながら、特許文献１に記載の画像形成装置では、接点部が円環形状であるため、巻きバネ部のストローク量は、接点部の直径よりも大きくできない。このため、導電部材と接点部との接触が不安定になるおそれがある。
【０００７】
なお、巻きバネ部の長さが長い接点バネを用い、巻きバネ部の一部を筒部から突出させることによって、巻きバネ部のストローク量を大きくした場合は、導電部材が接点部に接触したとき、巻きバネ部の一部が折れ曲がって、接点部が巻きバネ部の軸線に対して傾くおそれがある。巻きバネ部が傾くと、接点部を筒部内に押し込むことができなくなる。
【０００８】
本発明は上記課題に鑑みてなされたものであり、その目的は、接点部が巻きバネ部の軸線に対して傾くことなく、巻きバネ部のストローク量を十分に長くできる画像形成装置を提供することにある。
【課題を解決するための手段】
【０００９】
本開示に係る画像形成装置は、装置本体と、ユニットと、導電部材と、接点バネと、筒部とを備える。前記ユニットは、前記装置本体に着脱可能に装着される。前記導電部材は、前記ユニットに配置されている。前記接点バネは、前記装置本体に配置され、前記導電部材と導電可能に接触する。前記筒部は、前記装置本体に設けられ、前記接点バネを保持する。前記装置本体は、前記ユニットと協働して記録媒体に画像を形成し、前記接点バネは、巻きバネ部と、接点部とを有する。前記接点部は、前記巻きバネ部の一端部に設けられている。前記接点部は、前記筒部の一端開口から出没可能に突出され、前記巻きバネ部は、前記筒部に収容され、前記接点部を前記筒部の前記一端開口から突出する方向に付勢し、前記接点部は、前記巻きバネ部の軸線に沿った縦長形状を有する。
【発明の効果】
【００１０】
本発明に係る画像形成装置によれば、接点部が巻きバネ部の軸線に対して傾くことなく、巻きバネ部のストローク量を十分に長くできる。
【図面の簡単な説明】
【００１１】
【図１】本発明の実施形態に係る画像形成装置を示す断面図である。
【図２】画像形成装置を示す斜視図である。
【図３】搬送ユニット及びドラムユニットを示す断面図である。
【図４】搬送ユニット及びドラムユニットを示す分解斜視図である。
【図５】接点バネ及び筒部を示す断面図である。
【図６】図５のＶＩ−ＶＩ線に沿った断面図である。
【図７】筒部の先端開口を上から見た平面図である。
【図８】第２実施形態の接点バネを示す分解斜視図である。
【図９】接点バネを示す斜視図である。
【図１０】筒部に収容された接点バネを示す断面図である。
【発明を実施するための形態】
【００１２】
以下、本開示の実施形態について、図面を参照しながら説明する。なお、図中、同一又は相当部分については同一の参照符号を付して説明を繰り返さない。
【００１３】
＜第１実施形態＞
図１及び図２を参照して、本開示の第１実施形態に係る画像形成装置１について説明する。図１は、画像形成装置１を示す断面図である。
【００１４】
図１に示すように、画像形成装置１は、例えばプリンターであり、用紙（記録媒体）にトナー画像を形成する。画像形成装置１は、装置本体２と、画像形成部５とを備える。
【００１５】
装置本体２は、画像形成部５と協働して用紙にトナー画像を形成する。装置本体２は、装置筐体３と、定着部７と、給紙カセット９と、排紙トレイ１１と、用紙搬送路Ｌとを備える。
【００１６】
装置筐体３は、画像形成部５、定着部７、給紙カセット９、及び、用紙搬送路Ｌを収容する。装置筐体３は、例えば略直方体形の箱状に形成される。装置筐体３は、前面３Ｆ、後面３Ｂ、左面３Ｌ及び右面３Ｒを有する。左面３Ｌは、図中の紙面垂直方向の手前側に配置されている。右面３Ｒは、図中の紙面垂直方向の奥側に配置されている。前面３Ｆ側、後面３Ｂ側、左面３Ｌ側及び右面３Ｒ側をそれぞれ、画像形成装置１の前側、後側、左側及び右側と記載する場合がある。
【００１７】
給紙カセット９は、装置筐体３の下部に配置されている。画像形成部５は、給紙カセット９の上側に配置されている。定着部７は、画像形成部５の後側に配置されている。排紙トレイ１１は、装置筐体３の上面３Ｕに凹状に設けられている。
【００１８】
排紙トレイ１１には、用紙Ｐが排出される。排紙トレイ１１は、略上下方向に立設された後端部１１ａを有する。排紙トレイ１１の後端部１１ａには、用紙排出口１１ｂが形成されている。用紙排出口１１ｂは、用紙Ｐを装置筐体３から排紙トレイ１１に排出するための開口である。
【００１９】
用紙搬送路Ｌは、用紙Ｐを、給紙カセット９から画像形成部５及び定着部７を順に経由して用紙排出口１１ｂに搬送する。給紙カセット９は、用紙搬送路Ｌを介して画像形成部５に用紙Ｐを供給する。画像形成部５は、用紙Ｐにトナー画像を転写する。定着部７は、画像形成部５による画像形成処理後の用紙Ｐを加熱及び加圧する。その結果、用紙Ｐに転写されたトナー画像が用紙Ｐに定着する。用紙Ｐは、定着部７による定着処理の後、用紙排出口１１ｂから排紙トレイ１１に排出される。
【００２０】
画像形成部５について詳しく説明する。
【００２１】
画像形成部５は、ドラムユニット５１と、現像ユニット５２と、転写ローラー５３と、露光装置５４とを備える。
【００２２】
ドラムユニット５１は、画像データに対応する静電潜像を形成する。画像データは、例えば、画像形成装置１が外部装置から受信した画像データである。ドラムユニット５１は、装置本体２に着脱可能に構成されており、定着部７の前側に配置される。ドラムユニット５１は、ユニット筐体５１ａと、感光体ドラム５１ｂと、帯電ローラー５１ｃ（帯電部）とを備える。ドラムユニット５１は、「ユニット」の一例に相当する。
【００２３】
ユニット筐体５１ａは、感光体ドラム５１ｂ、及び帯電ローラー５１ｃを収容する。ユニット筐体５１ａは、例えば略直方体形の箱状に形成される。ユニット筐体５１ａの下面５１ｅは、用紙搬送路Ｌに面しており、用紙Ｐを用紙搬送路Ｌに沿って案内する。
【００２４】
感光体ドラム５１ｂは、ユニット筐体５１ａの前端部に回転可能に配置されており、感光体ドラム５１ｂの一部がユニット筐体５１ａの下面５１ｅから突出している。
【００２５】
帯電ローラー５１ｃは、感光体ドラム５１ｂの表面を所定電位に帯電させる。帯電ローラー５１ｃは、感光体ドラム５１ｂの周囲（例えば感光体ドラム５１ｂの後側）に回転可能に配置されており、感光体ドラム５１ｂと当接されている。帯電ローラー５１ｃには、感光体ドラム５１ｂを所定電位に帯電させる帯電電圧が印加されている。
【００２６】
露光装置５４は、帯電された感光体ドラム５１ｂの表面にレーザー光を照射して、画像データに対応する静電潜像を感光体ドラム５１ｂの表面に形成する。露光装置５４は、感光体ドラム５１ｂの周囲（例えば感光体ドラム５１ｂの上側）に配置されている。
【００２７】
現像ユニット５２は、感光体ドラム５１ｂの表面に形成された静電潜像を、トナー画像として現像する。その結果、感光体ドラム５１ｂの表面にトナー画像が形成される。現像ユニット５２は、装置本体２に着脱可能に構成されており、ドラムユニット５１の前側に配置されている。
【００２８】
転写ローラー５３は、感光体ドラム５１ｂの表面から用紙Ｐにトナー画像を転写する。転写ローラー５３は、装置本体２に回転可能に配置されており、感光体ドラム５１ｂとの間で転写ニップを形成している。用紙Ｐが転写ニップを通過すると、感光体ドラム５１ｂの表面に形成されたトナー画像が用紙Ｐに転写される。
【００２９】
画像形成装置１は、搬送ユニット１２を更に備える。
【００３０】
搬送ユニット１２は、用紙搬送路Ｌの一部を構成する。搬送ユニット１２は、用紙搬送路Ｌを挟んで画像形成部５の下側に配置されている。搬送ユニット１２は、例えば、偏平な直方体形の箱状である。搬送ユニット１２の上面１２ａは、用紙搬送路Ｌに面しており、用紙Ｐを用紙搬送路Ｌに沿って案内する。上面１２ａには、凹溝部が設けられており、凹溝部に転写ローラー５３が回転可能に配置されている。
【００３１】
図２を参照して、画像形成装置１について更に説明する。図２は、画像形成装置１を示す斜視図である。
【００３２】
図２に示すように、画像形成装置１は、カバー１３を更に備える。装置筐体３は、開口３ａを有する。
【００３３】
開口３ａは、装置筐体３の内部を露出する。開口３ａは、装置筐体３の前面３Ｆに形成されている。カバー１３は、開口３ａを開閉する。カバー１３は、装置筐体３に対して開閉可能である。具体的には、カバー１３の下部が装置筐体３に回動可能に連結されている。カバー１３は、カバー１３の下部を中心に回動することによって、装置筐体３に対して開閉する。
【００３４】
図１を参照して説明したドラムユニット５１及び現像ユニット５２は、装置筐体３の開口３ａから装置筐体３の外部に取り出すことが可能である。
【００３５】
図１及び図２に示すように、具体的には、ドラムユニット５１及び現像ユニット５２が装置本体２から取り外されるときは、先ず、現像ユニット５２が開口３ａから装置本体２の前方向に引き出されることによって、現像ユニット５２が装置本体２から取り外される。そして、ドラムユニット５１が開口３ａから装置本体２の前方向に引き出されることによって、ドラムユニット５１が装置本体２から取り外される。
【００３６】
ドラムユニット５１及び現像ユニット５２が装置本体２に装着されるときは、先ず、ドラムユニット５１が開口３ａから装置本体２内の所定位置まで挿入されることによって、ドラムユニット５１が装置本体２に装着される。そして、現像ユニット５２が開口３ａからドラムユニット５１の前側の所定位置まで挿入されることによって、現像ユニット５２が装置本体２に装着される。なお、図２では、ドラムユニット５１及び現像ユニット５２は、図示省略されている。
【００３７】
図３を参照して、搬送ユニット１２及びドラムユニット５１について更に説明する。図３は、搬送ユニット１２及びドラムユニット５１を示す断面図である。図３において、ドラムユニット５１を装置本体２に装着しており、搬送ユニット１２とドラムユニット５１との相対的な位置関係を示している。
【００３８】
図３に示すように、ドラムユニット５１は、導電部材５１ｆと、配線５１ｇとを更に備える。
【００３９】
導電部材５１ｆは、帯電ローラー５１ｃを帯電する帯電電圧が入力される入力端子として機能する。導電部材５１ｆは、ユニット筐体５１ａの下面５１ｅに配置されている。詳しくは、導電部材５１ｆは、下面５１ｅに形成された凹部に収容されている。配線５１ｇは、導電部材５１ｆに入力された帯電電圧を帯電ローラー５１ｃに印加する。配線５１ｇは、ユニット筐体５１ａの内部に配置されており、導電部材５１ｆと帯電ローラー５１ｃとを導電可能に接続している。
【００４０】
搬送ユニット１２は、接点バネ１２ｂと、巻きバネ１２ｃと、配線部材１２ｄ（配線）とを更に備える。装置本体２は、電源基板１４を更に備える。
【００４１】
接点バネ１２ｂは、導電部材５１ｆに導電可能に接触する。接点バネ１２ｂは、搬送ユニット１２の上面１２ａに対して直立して配置されている。接点バネ１２ｂの先端部は、上面１２ａから突出して導電部材５１ｆに導電可能に接触している。接点バネ１２ｂの先端部は、接点バネ１２ｂの圧縮反発力によって、導電部材５１ｆを押圧している。その結果、接点バネ１２ｂの先端部と導電部材５１ｆとが導電可能に接触する。
【００４２】
詳しくは、搬送ユニット１２の上面１２ａには、凹部１２ｆが設けられている。凹部１２ｆの底部に、筒部１２ｅが立設されている。筒部１２ｅは、接点バネ１２ｂを保持する。筒部１２ｅは、例えば円筒状に形成され、先端開口（一端開口）と、基端開口とを有する。筒部１２ｅの基端開口は、凹部１２ｆの底部の裏面に形成されている。接点バネ１２ｂは、筒部１２ｅに挿入されている。その結果、接点バネ１２ｂは、上面１２ａに対して直立して保持される。接点バネ１２ｂの先端部は、筒部１２ｅの先端開口から突出して、導電部材５１ｆに導電可能に接触している。
【００４３】
巻きバネ１２ｃは、電源基板１４と導電可能に接触する。巻きバネ１２ｃは、搬送ユニット１２の下面１２ｇに対して直立して配置されている。巻きバネ１２ｃは、下面１２ｇから突出しており、巻きバネ１２ｃの先端部は、電源基板１４に導電可能に接触している。巻きバネ１２ｃの先端部は、巻きバネ１２ｃの圧縮反発力によって、電源基板１４を押圧している。その結果、巻きバネ１２ｃの先端部と電源基板１４とが導電可能に接触している。
【００４４】
配線部材１２ｄは、接点バネ１２ｂと巻きバネ１２ｃとを導電可能に接続する。配線部材１２ｄは、搬送ユニット１２に配置されている。配線部材１２ｄは、例えば細長い板状に形成される。接点バネ１２ｂと、巻きバネ１２ｃと、配線部材１２ｄとは、導電性及び弾性を有する線材で一体の部材に形成してもよい。配線部材１２ｄの一端部は、接点バネ１２ｂの基端部に導電可能に接触している。配線部材１２ｄの一端部は、接点バネ１２ｂが筒部１２ｅの基端開口から抜けないように、接点バネ１２ｂを支持している。配線部材１２ｄの他端部は、巻きバネ１２ｃの基端部に導電可能に接触している。
【００４５】
電源基板１４は、例えば装置筐体３に配置されている。電源基板１４は、電圧（例えば高電圧）を供給する。電源基板１４から供給された電圧は、巻きバネ１２ｃ、配線部材１２ｄ、接点バネ１２ｂ、導電部材５１ｆ、及び、配線５１ｇを介して帯電ローラー５１ｃに印加される。
【００４６】
次に、図４を参照して、搬送ユニット１２及びドラムユニット５１について更に説明する。図４は、搬送ユニット１２及びドラムユニット５１を示す分解斜視図である。
【００４７】
図４に示すように、感光体ドラム５１ｂは、回転軸部５１ｈを有する。回転軸部５１ｈの両端部５１ｉ，５１ｉはそれぞれ、ユニット筐体５１ａの左右両側の側面から突出している。
【００４８】
搬送ユニット１２は、一対の係合部１５，１５を備える。一対の係合部１５，１５は、感光体ドラム５１ｂの回転軸部５１ｈの両端部５１ｉ，５１ｉに係合する。
【００４９】
詳しくは、搬送ユニット１２の上面１２ａは、ガイド領域１２ｈと、２つの非ガイド領域１２ｋ，１２ｋとを有する。ガイド領域１２ｈは、用紙を用紙搬送路Ｌに沿って案内する領域である。２つの非ガイド領域１２ｋ，１２ｋは、ガイド領域１２ｈの左右両側に配置されている。ガイド領域１２ｈの左右両側とは、用紙搬送方向に直交する水平方向に向かう側である。一対の係合部１５，１５はそれぞれ、２つの非ガイド領域１２ｋ，１２ｋに設けられている。
【００５０】
一対の係合部１５，１５はそれぞれ、切込部１５ａを有する。切込部１５ａには、感光体ドラム５１ｂの回転軸部５１ｈの端部５１ｉが嵌合する。その結果、係合部１５に端部５１ｉが係合する。
【００５１】
ドラムユニット５１が図１を参照して説明した装置本体２に装着されると、ドラムユニット５１の回転軸部５１ｈの両端部５１ｉが、搬送ユニット１２の一対の係合部１５に係合する。その結果、ドラムユニット５１が搬送ユニット１２に対して相対的に位置決めされる。
【００５２】
引き続き、図４を参照して、筒部１２ｅ及び導電部材５１ｆについて説明する。
【００５３】
筒部１２ｅは、２つの非ガイド領域１２ｋ，１２ｋのうちの一方の非ガイド領域１２ｋに設けられている。具体的には、筒部１２ｅは、左側の非ガイド領域１２ｋの後部（即ち上面１２ａの左縁部の後部）に設けられている。すなわち、接点バネ１２ｂは、左側の非ガイド領域１２ｋの後部に配置されている。
【００５４】
導電部材５１ｆは、ユニット筐体５１ａの下面５１ｅの左右両側の縁部のうち、一方側の縁部に配置されている。具体的には、導電部材５１ｆは、下面５１ｅの左縁部の後部に配置されている。即ち、導電部材５１ｆは、下面５１ｅにおいて、接点バネ１２ｂに対応する位置に配置されている。
【００５５】
次に、図５を参照して、接点バネ１２ｂ及び筒部１２ｅについて更に説明する。図５は、接点バネ１２ｂ及び筒部１２ｅを示す断面図である。
【００５６】
図５に示すように、接点バネ１２ｂは、接点部１２ｍと、巻きバネ部１２ｎとを有する。
【００５７】
巻きバネ部１２ｎは、例えば円筒形の圧縮コイルバネである。巻きバネ部１２ｎは、巻きバネ部１２ｎの軸線Ｘに沿って圧縮可能である。巻きバネ部１２ｎは、筒部１２ｅの内部に収容されている。巻きバネ部１２ｎの基端部１２ｓは、筒部１２ｅの基端開口１２ｊから突出されており、配線部材１２ｄに当接している。その結果、接点バネ１２ｂが筒部１２ｅの基端開口１２ｊから抜けることが防止される。
【００５８】
接点部１２ｍは、図３及び図４を参照して説明した導電部材５１ｆに導電可能に接触する。接点部１２ｍの基端部１２ｑは、巻きバネ部１２ｎの先端部１２ｒ（一端部）と一体的に形成されている。接点部１２ｍは、巻きバネ部１２ｎの軸線Ｘを含む平面に沿って配置されている。従って、接点部１２ｍの両側の主面Ｓは、巻きバネ部１２ｎの軸線Ｘに平行な平面内に位置する。巻きバネ部１２ｎの軸線Ｘに平行な平面は、例えば、画像形成装置１の前後方向（即ち装置本体２に対するドラムユニット５１の装着方向）に平行である。
【００５９】
接点部１２ｍは、筒部１２ｅの先端開口１２ｉ（一端開口）から出没可能に構成されている。詳しくは、接点部１２ｍのうち、基端部１２ｑ側が筒部１２ｅの内部に収容されており、基端部１２ｑ側以外の部分が、筒部１２ｅの先端開口１２ｉから突出している。接点部１２ｍの基端部１２ｑ側が筒部１２ｅの内部に収容されることによって、接点部１２ｍが導電部材５１ｆに接触したときに、接点部１２ｍが巻きバネ部１２ｎの軸線Ｘに対して傾くことが抑制される。
【００６０】
接点部１２ｍは、巻きバネ部１２ｎの圧縮反発力によって、筒部１２ｅの先端開口１２ｉから突出するように付勢されている。
【００６１】
接点部１２ｍは、巻きバネ部１２ｎの軸線Ｘに沿って延びた縦長形状を有する。その結果、接点部１２ｍのうち、基端部１２ｑ以外の部分（即ち筒部１２ｅの先端開口１２ｉから突出される部分）の長さを十分に確保できる。
【００６２】
具体的には、接点部１２ｍは、巻きバネ部１２ｎの軸線Ｘに沿って延びた矩形環状において、接点部１２ｍの先端部１２ｐが円弧状に外側に湾曲した形状である。接点部１２ｍの先端部１２ｐは、円弧状に外側に湾曲されることによって、導電部材５１ｆに円滑に接触できる。図５を参照して説明する具体例では、接点部１２ｍは、軸線Ｘに沿って延びた長円形状に形成され、接点部１２ｍの両側の主面Ｓは、開口面である。
【００６３】
接点部１２ｍの主面Ｓは、画像形成装置１の前後方向（即ち装置本体２に対するドラムユニット５１の装着方向に沿った方向）に平行である。従って、導電部材５１ｆが接点部１２ｍの先端部１２ｐに当接するとき、導電部材５１ｆは先端部１２ｐの円弧に沿って摺動できる。その結果、導電部材５１ｆは、先端部１２ｐに更に円滑に接触できる。
【００６４】
引き続き、図５を参照して、接点バネ１２ｂの動作について説明する。
【００６５】
接点部１２ｍの先端部１２ｐが図３を参照して説明した導電部材５１ｆに接触すると、導電部材５１ｆによって、接点部１２ｍが筒部１２ｅの内部に押し込まれる。接点部１２ｍが筒部１２ｅの内部に押し込まれた距離だけ、巻きバネ部１２ｎは圧縮される。その結果、接点部１２ｍと導電部材５１ｆとの間の距離が設計値よりも小さい場合であっても、接点部１２ｍと導電部材５１ｆとが導電可能に接触する。接点部１２ｍが軸線Ｘに沿って延びた縦長形状であるため、巻きバネ部１２ｎのストローク量が十分に長く確保されている。従って、接点部１２ｍと導電部材５１ｆとが近づき過ぎた場合であっても、接点部１２ｍと導電部材５１ｆとが導電可能に接触する。なお、巻きバネ部１２ｎのストローク量は、接点部１２ｍが導電部材５１ｆによって筒部１２ｅ内に押し込まれたときに、巻きバネ部１２ｎが圧縮される長さを示す。
【００６６】
また、接点部１２ｍの基端部１２ｑ側が筒部１２ｅ内に収容されていることによって、接点部１２ｍが導電部材５１ｆによって軸線Ｘに対して傾けられることが防止されている。接点部１２ｍが軸線Ｘに沿って延びた縦長形状であるため、基端部１２ｑ側が筒部１２ｅ内に収容されていても、巻きバネ部１２ｎのストローク量を十分に長く確保できる。
【００６７】
次に、図６及び図７を参照して、接点バネ１２ｂ及び筒部１２ｅについて詳しく説明する。図６は、図５のＶＩ−ＶＩ線に沿った断面図である。図７は、筒部１２ｅの先端開口１２ｉを上から見た平面図である。
【００６８】
図６に示すように、接点部１２ｍにおける左右方向の幅Ｒ１は、巻きバネ部１２ｎの直径Ｒ２よりも小さい。
【００６９】
筒部１２ｅは、一対の張出部１６，１６を有する。一対の張出部１６，１６は、巻きバネ部１２ｎが筒部１２ｅの先端開口１２ｉから抜けることを防止する。
【００７０】
一対の張出部１６，１６は、筒部１２ｅにおける先端開口１２ｉ側の縁部１２ｕにおいて、左右両側に設けられている。
【００７１】
一対の張出部１６，１６は、筒部１２ｅの内周面１２ｔよりも筒部１２ｅの内側に張り出している。一対の張出部１６，１６の間隔Ｒ３は、接点部１２ｍの幅Ｒ１よりもわずかに広い。一対の張出部１６，１６の間に、筒部１２ｅの先端開口１２ｉが形成されている。一対の張出部１６，１６の間に、接点部１２ｍが挿入されている。張出部１６，１６は、接点部１２ｍを出没自在に支持する。
【００７２】
巻きバネ部１２ｎの先端部１２ｒが一対の張出部１６，１６に当接することによって、巻きバネ部１２ｎが筒部１２ｅの先端開口１２ｉから抜けることが防止される。
【００７３】
図７に示すように、筒部１２ｅの先端開口１２ｉは、画像形成装置１の前後方向に沿って延びている。画像形成装置１の前後方向は、筒部１２ｅの軸方向に直交する方向である。接点部１２ｍは、主面Ｓが先端開口１２ｉの長手方向に沿うように、先端開口１２ｉ内に配置されている。その結果、接点部１２ｍの主面Ｓが先端開口１２ｉに沿うように、接点部１２ｍの向きが固定される。
【００７４】
＜第２実施形態＞
次に、図８〜図１０を参照して、本開示の第２実施形態に係る画像形成装置１について説明する。図８は、第２実施形態の接点バネ１２ｂを示す分解斜視図である。図９は、接点バネ１２ｂを示す斜視図である。
【００７５】
第２実施形態の接点バネ１２ｂは、第１実施形態の接点バネ１２ｂと比べて、接点部１２ｍと巻きバネ部１２ｎとが分離されている点で相違している。接点部１２ｍと巻きバネ部１２ｎとが分離されているため、接点バネ１２ｂの搬送ユニット１２への取り付けが容易である。
【００７６】
以下、第１実施形態と同じ部分については第１実施形態と同じ参照符号を付して説明を省略し、第１実施形態と異なる部分について説明する。
【００７７】
図８に示すように、接点バネ１２ｂは、接点部１２ｍと、巻きバネ部１２ｎとを備える。
【００７８】
接点部１２ｍと巻きバネ部１２ｎとは、互いに分離して構成されている。接点部１２ｍ及び巻きバネ部１２ｎは、第１実施形態の接点部１２ｍ及び巻きバネ部１２ｎが互いに分離されたものである。
【００７９】
接点部１２ｍは、一対の突出部１２ｖ，１２ｖを有する。一対の突出部１２ｖ，１２ｖはそれぞれ、接点部１２ｍの基端部１２ｑに一体的に設けられており、接点部１２ｍの主面Ｓに対して直交する方向に突出している。換言すれば、一対の突出部１２ｖ，１２ｖはそれぞれ、接点部１２ｍの長手方向に直交する方向に突出している。一対の突出部１２ｖ、１２ｖは、例えば円弧状である。
【００８０】
図９に示すように、接点部１２ｍは、巻きバネ部１２ｎの先端部１２ｒに配置される。接点部１２ｍが巻きバネ部１２ｎの先端部１２ｒに配置されたとき、接点部１２ｍは、巻きバネ部１２ｎの軸線Ｘに沿っており、一対の突出部１２ｖ，１２ｖは、巻きバネ部１２ｎの先端部１２ｒに導電可能に当接している。
【００８１】
次に、図１０を参照して、接点バネ１２ｂの筒部１２ｅへの収容方法について説明する。図１０は、筒部１２ｅに収容された接点バネ１２ｂを示す断面図である。
【００８２】
図１０に示すように、接点部１２ｍの基端部１２ｑ側及び巻きバネ部１２ｎの先端部１２ｒは、筒部１２ｅの内部に配置されている。接点部１２ｍの一対の突出部１２ｖは、筒部１２ｅの内部に収容されており、一対の張出部１６，１６と巻きバネ部１２ｎの先端部１２ｒとの間に配置されている。一対の突出部１２ｖ，１２ｖが一対の張出部１６，１６に当接することによって、接点部１２ｍが筒部１２ｅの先端開口１２ｉから抜けることが防止される。巻きバネ部１２ｎの圧縮反発力によって、巻きバネ部１２ｎの先端部１２ｒが一対の突出部１２ｖ，１２ｖを押圧する。その結果、一対の突出部１２ｖ，１２ｖと先端部１２ｒとが導電可能に接触する。
【００８３】
以上、図面（図１〜図１０）を参照しながら本開示の実施形態を説明した。但し、本開示は、上記の実施形態に限られるものではなく、その要旨を逸脱しない範囲で種々の態様において実施することが可能である。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本開示の効果から実質的に逸脱しない範囲で種々の変更が可能である。
【符号の説明】
【００８４】
１  画像形成装置
２  装置本体
５１  ドラムユニット
５１ｆ  導電部材
１２ｂ  接点バネ
１２ｃ  巻きバネ
１２ｅ  筒部
１２ｉ  筒部の先端開口
１２ｊ  筒部の基端開口
１２ｍ  接点部
１２ｎ  巻きバネ部
１２ｐ  接点部の先端部
１２ｑ  接点部の基端部
１２ｒ  巻きバネ部の先端部
１２ｔ  筒部の内周面
１２ｖ  突出部
１６  張出部
１４  電源基板
１２ｄ  配線部材
５１ｂ  感光体ドラム
５１ｃ  帯電ローラー
Ｘ  軸線
【図１】
0006673251.tif 000002
【図２】
0006673251.tif 000003
【図３】
0006673251.tif 000004
【図４】
0006673251.tif 000005
【図５】
0006673251.tif 000006
【図６】
0006673251.tif 000007
【図７】
0006673251.tif 000008
【図８】
0006673251.tif 000009
【図９】
0006673251.tif 000010
【図１０】
0006673251.tif 000011